(57)【特許請求の範囲】
【請求項１】
刃受端子を収納した器台と、栓刃端子差込口が開口する開閉扉収納室を設けた蓋体と、該蓋体に設けた開閉扉収納室内にスプリングのバネ力により摺動し栓刃端子差込口を開閉する一対の扉体と、前記一対の扉体を蓋体内に嵌装し扉体を抜け止めする中蓋とからなる扉付きコンセントにおいて、前記蓋体に設けた開閉扉収納室内に、上面を斜め下方に傾斜するテーパー面（２２ｂ）に形成し、該テーパー面（２２ｂ）の頂部と連続する上面後縁中央部にスプリング嵌装溝（２２ｃ）を設けた遮蔽突起（２２ａ）を前方枠（２２）に立設し、該前方枠（２２）と相対向する後方枠（２４）とを直角に繋ぐ側枠（２３）に後端から先端方向に一定高さ一定長さ突出する突出板部（２３ｂ）を設け、該側枠（２３）と平行し突出板部（２３ｂ）と同一高さを有する他方の側枠（２５）を後方枠（２４）の一端上面から前方に一定長さ突出させ、該側枠（２５）と前記前方枠（２２）との間に矩形空間部（２７）に開口する空隙部（２６）を形成した同一形状を呈する一対の扉体（２１）を相反する方向から相互に一体状に、且つ、摺動自在に組み合わせ、前記スプリング嵌装溝（２２ｃ）に両端部を嵌装したスプリング（３０）のバネ力により外方に押圧した栓刃端子差込口を開閉する開閉扉（２０）を収納したことを特徴とする扉付きコンセント。
【請求項２】
前記、扉体（２１）の前方枠（２２）の底面中央部にスライド溝（２２ｄ）を設け、中蓋（１０）の上面に前記扉体（２１）の前方枠（２２）に設けたスライド溝（２２ｄ）に摺動自在に嵌合するガイド突起（１２）を設けたことを特徴とする請求項１記載の扉付きコンセント。
【発明の詳細な説明】
【０００１】
【発明の属する技術分野】
本発明は扉付きコンセントに関するものである。
【０００２】
【従来の技術】
従来の扉付きコンセントは図６に示す一対の扉体４５を相対向させ、図７に示すように、蓋体４０に設けた栓刃挿通口４１が開口する扉体収納室４２内に収納し、該扉体収納室４２内に設けた板バネ４６の反発バネ力により蓋体４０に設けた栓刃挿通口４１を開閉自在に閉塞するように構成されていた。なお、図中５０は蓋体４０内に嵌装した扉体抜け止め用の中蓋である。（特許公報第２８４３１２８号参照）
【０００３】
また、図８に示すように形状の異なる扉体６１、扉体６５を、一方の扉体６１に形成された矩形口６２に、突出板面に栓刃端子差込口６６を穿設した他方の扉体６５をその突出板面を斜め上方から嵌合させ、スプリング７０のバネ力により扉体６１、扉体６５を外方に押圧するように構成された開閉扉６０（図９参照）を、蓋体に設けた扉体収納室内（図省略）に収納した扉付きコンセントが知られている。
【０００４】
【発明が解決しようとする課題】
しかしながら、一対の扉体４５を相対向させて、蓋体４０に設けた栓刃挿通口４１が開口する扉体収納室４２内に収納し、該扉体収納室４２内に設けた板バネ４６の反発バネ力により蓋体４０に設けた栓刃挿通口４１を開閉自在に閉塞するように構成された扉付きコンセントにおいては、一対の扉体４５を一体状に、且つ、摺動自在に組み込むことができないために、扉体収納室４２内に収納する際に、一対の扉体４５がバラバラに離散する等の問題点があった。
【０００５】
また、形状の異なる扉体６１及び扉体６５を、一方の扉体６１に形成された矩形口６２に、突出板面に栓刃端子差込口６６を穿設した他方の扉体６５をその突出板面を斜め上方から嵌合させ、スプリング７０のバネ力により扉体６１及び扉体６５を外方に押圧するように構成された開閉扉６０を、蓋体に設けた扉体収納室内に収納してなる扉付きコンセントにおいては、扉体６１及び扉体６５の形状が異なるために、成形金型を２種類必要とするため安価に提供し得ないばかりでなく、前述したと同様に扉体６１、扉体６５を一体状に、且つ、摺動自在に組み込むことができないことから、扉体６１、扉体６５を相互に組み合わせ、蓋体に設けた扉体収納室内に収納する際に、扉体６１、扉体６５、スプリング７０がバラバラに離散する等の問題点があり、さらに、扉体６１、扉体６５の形状が異なるために部品管理が面倒である等の問題点があった。
【０００６】
本発明は上記問題点に鑑みなされたもので、製造が容易で安価に提供し得る扉付きコンセントを提供することを目的とする。
【０００７】
【課題を解決するための手段】
本発明は、刃受端子を収納した器台と、栓刃端子差込口が開口する開閉扉収納室を設けた蓋体と、該蓋体に設けた開閉扉収納室内にスプリングのバネ力により摺動し栓刃端子差込口を開閉する一対の扉体と、前記一対の扉体を蓋体内に嵌装し扉体を抜け止めする中蓋とからなる扉付きコンセントにおいて、前記蓋体に設けた開閉扉収納室内に、上面を斜め下方に傾斜するテーパー面２２ｂに形成すると共に、該テーパー面２２ｂの頂部と連続する上面後縁中央部にスプリング嵌装溝２２ｃを設けた遮蔽突起２２ａを前方枠２２に立設し、該前方枠２２と相対向する後方枠２４とを直角に繋ぐ側枠２３に後端から先端方向に一定高さ一定長さ突出する突出板部２３ｂを設け、該側枠２３と平行し突出板部２３ｂと同一高さを有する他方の側枠２５を後方枠２４の一端上面から前方に一定長さ突出させ、該側枠２５と前記前方枠２２との間に矩形空間部２７に開口する空隙部２６を形成した同一形状を呈する一対の扉体２１を、相反する方向から相互に一体状に、且つ、摺動自在に組み合わせ、前記スプリング嵌装溝２２ｃに両端部を嵌装したスプリング３０のバネ力により外方に押圧した開閉扉２０を収納して扉付きコンセントを構成し、従来の問題点を解消したものである。
【０００８】
開閉扉２０を構成する同一形状を呈する一対の扉体２１を、両扉体２１の前方枠２２に立設した遮蔽突起２２ａの背面が対向するように空隙部２６から矩形空間部２７に嵌合させ、両扉体２１を遮蔽突起２２ａが離反する方向にスライドさせることにより、一方の扉体２１に形成した側枠２５の下面２５ａに他方の扉体２１に形成した側枠２３の上面２３ａが重なり、一方の扉体２１に形成した側枠２５の前面と他方の扉体２１に形成した側枠２３に設けた突出板部２３ｂの先端面が当接する。同時に他方の扉体２１に形成した側枠２３の上面２３ａに一方の扉体２１に設けた側枠２５の下面２５ａが重なり、他方の扉体２１に形成した突出板部２３ｂの前面と一方の扉体２１の側枠２５の先端面が当接し、且つ、前方枠２２に立設した遮蔽突起２２ａの先端底面が後方枠２４の上面に重なり、両扉体２１は摺動自在に一体状に組み合わされ、前方枠２２に立設した遮蔽突起２２ａに設けたスプリング嵌装溝２２ｃに両端部を嵌合したスプリング３０のバネ力により押圧保持される。従って、一対の扉体２１を一体状に組み合わせてなる開閉扉２０は分離することはなく、蓋体３に設けた開閉扉収納室５内に極めて容易に収納し得る。
【０００９】
また、蓋体３に設けた一方の栓刃端子差込口４に、子供がいたずらでヘアピン等を差し込んだ場合であっても、一方の扉体２１はスプリング３０のバネ力に抗して後退するが、他方の扉体２１は動作せず、該他方の扉体２１に設けた後方枠２４が、器台１内に収納した刃受端子２の刃受け部を閉塞しているので、ヘアピン等が刃受端子２の刃受け部に挿入され感電事故等を惹起するのを確実に防止し得る。
【００１０】
【発明の実施の形態】
以下、本発明の実施の形態を図面により説明する。図１は本発明の第１の実施の形態を示す横断面図、図２は本発明を構成する開閉扉を示す分解斜視図、図３は開閉扉の組み立て過程を示す斜視図、図４は開閉扉の組み立て状態を示す斜視図、図５は本発明の第２の実施の形態を示す開閉扉と中蓋の分解斜視図である。
【００１１】
図１において１は器台、２は器台１内に収納された刃受端子、３は蓋体、４は該蓋体３に設けられた栓刃端子差込口、５は栓刃端子差込口４が開口する開閉扉収納室である。
【００１２】
１０は中蓋で、該中蓋１０は蓋体３内に嵌合し、後述する開閉扉２０を抜け止め保持する。１１は前記器台１内に収納された刃受端子２の刃受部が臨む矩形口である。
【００１３】
２０は合成樹脂からなる開閉扉、２１は該開閉扉２０を構成する同一形状を呈する一対の扉体で、この扉体２１は図２乃至図４に示すように、上面を斜め下方に傾斜するテーパー面２２ｂに形成すると共に、該テーパー面２２ｂの頂部と連続する上面後縁中央部にスプリング嵌装溝２２ｃを形成した遮蔽突起２２ａを立設した前方枠２２と、該前方枠２２と相対向する後方枠２４とを直角に繋ぐ側枠２３に後端から先端方向に一定高さ一定長さの突出板部２３ｂを設け、該突出板部２３ｂと同一高さを有する他方の側枠２５を前記後方枠２４の一端上面から前方に一定長さ突出させ、該側枠２５と前記遮蔽突起２２ａを立設した前方枠２２との間に、各枠体により形成された矩形空間部２７に開口する空隙部２６を形成して構成されている。
【００１４】
上述のように構成した一対の扉体２１を組み合わせるには、遮蔽突起２２ａを立設した前方枠２２と側枠２５との間に形成された空隙部２６から、矩形空間部２７内に前方枠２２に立設した遮蔽突起２２ａの背面を対向させて夫々嵌合させ（図３参照）、両扉体２１を遮蔽突起２２ａが離反する方向に移動させる。
【００１５】
両扉体２１を遮蔽突起２２ａが離反する方向に移動させることにより、図４に示すように、一方の扉体２１に設けた側枠２３の上面２３ａに他方の扉体２１に設けた側枠２５の下面２５ａが重なり、該側枠２５の先端面が一方の扉体２１の側枠２３に設けた突出板部２３ｂの先端面に当接し、他方の扉体２１に設けた側枠２３の上面２３ａに一方の扉体２１に設けた側枠２５の下面２５ａが重なり、該側枠２５の先端面が他方の扉体２１の側枠に設けた突出板体２３ｂの先端面に当接し、且つ、前方枠２２に立設した遮蔽突起２２ａの先端底面が後方枠２４の上面２４ａに夫々重なり、両扉体２１は離反することなく一体状に、且つ、摺動自在に組み合わされる。
【００１６】
この状態で前方枠２２に立設した遮蔽突起２２ａに形成したスプリング嵌装溝２２ｃにスプリング３０の両端部を嵌合させることにより、両扉体２１はスプリング３０のバネ力により押圧保持される。
【００１７】
上記のようにして一対の扉体２１を一体状に、且つ、摺動自在に組み合わせた開閉扉２０を蓋体３に設けた開閉扉収納室５内に収納し、該蓋体３内に中蓋１０を嵌合させ、蓋体３と刃受端子２を収納した器台１とをネジ止め、または、組立金具により加締付け固定することにより極めて容易に扉付きコンセントを製造し得る。
【００１８】
而して、蓋体３に設けた栓刃端子差込口４からプラグ栓刃を差し込むと、該プラグ栓刃の先端部が開閉扉２０を構成する一対の扉体２１に設けた遮蔽突起２２ａの上面に形成したテーパー面２２ｂに当接し、一対の扉体２１は夫々スプリング３０のバネ力に抗して内方に移動し、蓋体３に設けた栓刃端子差込口４が開放され、プラグ栓刃は器台１内に収納された刃受端子２に電気的に差込み接続される。また、プラグ栓刃を引き抜くことにより、両扉体２１はスプリング３０の反発バネ力により元の状態に復帰し、蓋体３に設けた栓刃端子差込口４は一対の扉体２１に設けた遮蔽突起２２ａにより閉塞される。
【００１９】
また、蓋体３に設けた一方の栓刃端子差込口４に、子供がいたずらでヘアピン等を差し込んだ場合であっても、一方の扉体２１はスプリング３０のバネ力に抗して内方に移動するが、他方の扉体２１は動作せず、該他方の扉体２１に設けた後方枠２４が器台１内に収納された刃受端子２の刃受け部を閉塞しているので、感電事故等の電気的事故を確実に防止し得る。
【００２０】
さらに、開閉扉２０を構成する一対の扉体２１を成形する金型は一種類で済むことから扉体２１の製造が容易で安価に提供することができ、且つ、部品管理が容易となる。
【００２１】
図５は本発明の第２の実施の形態を示す開閉扉２０と中蓋１０との関係を示す分解斜視図で、この実施の形態においては図示するように、開閉扉２０を構成する一対の扉体２１の前方枠２２の底面中央部にスライド溝２２ｄを穿設し、中蓋１０の上面に前記一対の扉体２１に形成したスライド溝２２ｄに摺動自在に嵌合するガイド突起１２を設けたものである。
【００２２】
上記のように開閉扉２０を構成する一対の扉体２１の前方枠２２の底面中央部にスライド溝２２ｄを穿設し、中蓋１０の上面に前記一対の扉体２１に形成したスライド溝２２ｄに摺動自在に嵌合するガイド突起１２を設けることにより、開閉扉２０を構成する両扉体２１の開閉がスムーズとなる。
【００２３】
なお、本発明の扉付きコンセントは、接地極付きのコンセントにも適用し得ることは勿論である。
【００２４】
【発明の効果】
本発明によれば上述のように、一対の扉体２１を一体状に、且つ、摺動自在に組み合わせてなる開閉扉２０を、蓋体３に設けた開閉扉収納室５内に収納し、中蓋１０を蓋体３内に嵌合させて、器台１と蓋体３とをネジ止め又は組立金具により加締付け固定するだけの極めて簡単な作業で扉付きコンセントを製造し得るばかりでなく、開閉扉２０を構成する扉体２１を成形する金型が一種類で済み、さらに、部品管理が容易なことから安価に提供し得る等の優れた利点がある。
【図面の簡単な説明】
【図１】本発明の第１の実施の形態を示す横断面図
【図２】本発明を構成する開閉扉を示す分解斜視図
【図３】開閉扉の組み立て過程を示す斜視図
【図４】開閉扉の組み立て状態を示す斜視図
【図５】本発明の第２の実施の形態を示す開閉扉と中蓋の分解斜視図
【図６】従来の扉付きコンセントを構成する扉体を示す分解斜視図
【図７】従来の扉付きコンセントを示す横断面図
【図８】従来の扉付きコンセントを構成する扉体を示す分解斜視図
【図９】従来の扉付きコンセントを構成する扉体の組立て状態を示す斜視図
【符号の説明】
１  器台                                        ２  刃受端子
３  蓋体                                        ４  栓刃端子差込口
５  開閉扉収納室
１０  中蓋                                      １２  ガイド突起
２０  開閉扉                                    ２１  扉体
２２  前方枠                                  ２２ａ  遮蔽突起
２２ｂ  テーパー面                              ２２ｃ  スプリング嵌装溝
２２ｄ  スライド溝                                ２３  側枠
２３ｂ  突出板部                                  ２４  後方枠
２５  側枠                                      ２６  空隙部
２７  矩形空間部                                ３０  スプリング
【図１】
0004082846.tif 000002
【図２】
0004082846.tif 000003
【図３】
0004082846.tif 000004
【図４】
0004082846.tif 000005
【図５】
0004082846.tif 000006
【図６】
0004082846.tif 000007
【図７】
0004082846.tif 000008
【図８】
0004082846.tif 000009
【図９】
0004082846.tif 000010